(57)【要約】【課題】  ユーザ端末の位置情報に基づきメンバを抽出し、メンバの位置情報に基づきイベントへの参加者を管理し、集合場所を演算してコミュニケーションを補助する位置情報を提供するコミュニケーションシステムおよびその方法、プログラムおよび記録媒体を提供する。【解決手段】  ユーザ端末およびコミュニティの識別情報を記憶しユーザ端末の認証と管理を行うコミュニティ管理手段と、ユーザ端末の位置情報を取得して蓄積する位置情報取得手段と、ユーザ端末に指定入力されたイベントに参加可能な他のユーザ端末を抽出する他ユーザ端末抽出手段と、他ユーザ端末にイベントを通知するイベント通知手段と、他ユーザ端末にイベントの集合場所を提案する集合場所提案手段と、イベントを通知した他ユーザ端末からのコメントを収集するコメント収集手段と、コメントとイベントとを対応付けして他ユーザ端末に提示可能に記憶するコメント一覧提示手段と、を備える。【選択図】      図１
2006072812.tif 000002
【特許請求の範囲】
【請求項１】
ネットワークを介して接続され相互に通信可能な複数のユーザ端末が集合して複数のコミュニティを形成し、これらのユーザ端末同士でコミュニケーションを行うためのコミュニケーションシステムにおいて、
前記ユーザ端末および前記コミュニティを個別に識別するための識別情報を記憶し前記ユーザ端末の認証および管理を行うためのコミュニティ管理手段と、
前記ユーザ端末ごとの位置情報を取得して蓄積するための位置情報取得手段と、
前記ユーザ端末のうちのいずれかにおいて指定入力されたイベントに参加可能な位置にいる他のユーザ端末を抽出するための他ユーザ端末抽出手段と、
前記他ユーザ端末抽出手段により抽出された他ユーザ端末に前記イベントに関する情報を通知するためのイベント通知手段と、
前記他ユーザ端末抽出手段により抽出された他ユーザ端末に前記イベントについての集合場所を提案する集合場所提案手段と、
前記イベントに関する情報を通知した他ユーザ端末から返信されたコメントを収集するためのコメント収集手段と、
収集した前記コメントと前記イベントとを対応付けして前記他ユーザ端末に対してコメント一覧として提示可能に記憶するためのコメント一覧提示手段と、
を備えることを特徴とするコミュニケーションシステム。
【請求項２】
前記ユーザ端末は、
自身の位置を検出して位置情報として発信するための位置情報発信手段を備えることを特徴とする請求項１に記載のコミュニケーションシステム。
【請求項３】
前記識別情報は、
前記コミュニティに属する前記ユーザ端末毎にそれぞれ付されたユーザ端末ＩＤと、前記コミュニティにそれぞれ付されたグループＩＤと、前記ユーザ端末のメールアドレスと、を含むことを特徴とする請求項１または２のいずれかに記載のコミュニケーションシステム。
【請求項４】
前記イベント通知手段は、
前記イベントを指定入力した前記ユーザ端末にて指定入力された他のユーザ端末に対して前記イベントに関する情報を通知することを特徴とする請求項１〜３のいずれかに記載のコミュニケーションシステム。
【請求項５】
前記集合場所提案手段は、
前記イベントを指定入力した前記ユーザ端末にて指定入力された他のユーザ端末に対して前記集合場所を通知することを特徴とする請求項１〜４のいずれかに記載のコミュニケーションシステム。
【請求項６】
前記集合場所提案手段は、
前記位置情報発信手段により検出した位置情報に基づいて、抽出した複数の前記他ユーザ端末のそれぞれの位置の分布の中心位置、および／または前記イベントに参加可能な前記他ユーザ端末のそれぞれの位置の分布の中心位置を演算して求めるための中心位置演算手段と、
前記ユーザ端末に入力して任意の集合場所を指定するための集合場所指定手段と、
のうちのすくなくともいずれか一つを備えることを特徴とする請求項１〜５のいずれかに記載のコミュニケーションシステム。
【請求項７】
前記集合場所提案手段は、
前記集合場所を、前記コメント一覧の中に含めるか、もしくは前記ユーザ端末に表示される地図上に同時に表示するか、もしくは前記ユーザ端末に文字表示するかのいずれかの集合場所表示手段を備えることを特徴とする請求項１〜６のいずれかに記載のコミュニケーションシステム。
【請求項８】
前記集合場所提案手段は、
前記ユーザ端末における前記集合場所の提案手段として、ランドマークを用いたエリアや位置の指定手段、もしくは住所を用いたエリアや位置の指定手段、もしくは緯度と経度を指定した範囲の中心点による指定手段、もしくは緯度と経度を用いた位置の指定手段、のうちの少なくとも一つの前記指定手段を備えることを特徴とする請求項１〜７のいずれかに記載のコミュニケーションシステム。
【請求項９】
前記集合場所提案手段は、
前記イベントに参加する前記他ユーザ端末が前記集合場所へ移動可能な最短の時間を演算して求めるための最短集合時間演算手段と、
前記他ユーザ端末がそれぞれ前記集合場所へ移動するのに必要な余裕時間を演算して求めるための余裕時間演算手段と、
前記他ユーザ端末が現在位置から前記集合場所までの移動ルートを演算して求めて表示するための移動ルート演算手段と、
を備えることを特徴とする請求項１〜８のいずれかに記載のコミュニケーションシステム。
【請求項１０】
前記他ユーザ端末抽出手段は、
前記イベントを通知した前記他ユーザ端末による前記通知の確認有無および参加可否を参加情報として記憶し管理するための参加情報管理手段と、
前記イベントへ参加する前記他ユーザ端末の数および該他ユーザ端末を介して申告された参加人数をカウントするための参加カウント手段と、
前記カウントの結果を一覧表示するための参加一覧表示手段と、
前記参加人数および参加する前記他ユーザ端末のうちのいずれかの数の変化に応じて前記集合場所提案手段に前記数の変化を通知するための変化通知手段と、
を備えることを特徴とする請求項１〜９のいずれかに記載のコミュニケーションシステム。
【請求項１１】
ネットワークを介して接続され相互に通信可能な複数のユーザ端末が集合して複数のコミュニティを形成し、これらのユーザ端末同士でコミュニケーションを行うためのコミュニケーション方法において、
コミュニティ管理手段により、前記ユーザ端末および前記コミュニティを個別に識別するための識別情報を記憶し前記ユーザ端末の認証および管理を行うステップと、
位置情報取得手段により、前記ユーザ端末ごとの位置情報を取得して蓄積するステップと、
他ユーザ端末抽出手段により、前記ユーザ端末のうちのいずれかにおいて指定入力されたイベントに参加可能な位置にいる他のユーザ端末を抽出するステップと、
イベント通知手段により、前記他ユーザ端末抽出手段により抽出された他ユーザ端末に前記イベントに関する情報を通知するステップと、
集合場所提案手段により、前記他ユーザ端末抽出手段により抽出された他ユーザ端末に前記イベントについての集合場所を提案するステップと、
コメント収集手段により、前記イベントに関する情報を通知した他ユーザ端末から返信されたコメントを収集するステップと、
コメント一覧提示手段により、収集した前記コメントと前記イベントとを対応付けして前記他ユーザ端末に対してコメント一覧として提示可能に記憶するステップと、
を有することを特徴とするコミュニケーション方法。
【請求項１２】
前記ユーザ端末は、
自身の位置を検出して位置情報として発信するための位置情報発信手段を備えることを特徴とする請求項１１に記載のコミュニケーション方法。
【請求項１３】
前記識別情報は、
前記コミュニティに属する前記ユーザ端末毎にそれぞれ付されたユーザ端末ＩＤと、前記コミュニティにそれぞれ付されたグループＩＤと、前記ユーザ端末のメールアドレスと、を含むことを特徴とする請求項１１または１２のいずれかに記載のコミュニケーション方法。
【請求項１４】
前記イベント通知手段は、
前記イベントを指定入力した前記ユーザ端末にて指定入力された他のユーザ端末に対して前記イベントに関する情報を通知することを特徴とする請求項１１〜１３のいずれかに記載のコミュニケーション方法。
【請求項１５】
前記集合場所提案手段は、
前記イベントを指定入力した前記ユーザ端末にて指定入力された他のユーザ端末に対して前記集合場所を通知することを特徴とする請求項１１〜１４のいずれかに記載のコミュニケーション方法。
【請求項１６】
前記集合場所提案手段は、
前記位置情報発信手段により検出した位置情報に基づいて、抽出した複数の前記他ユーザ端末のそれぞれの位置の分布の中心位置、および／または前記イベントに参加可能な前記他ユーザ端末のそれぞれの位置の分布の中心位置を演算して求めるための中心位置演算手段と、
前記ユーザ端末に入力して任意の集合場所を指定するための集合場所指定手段と、
のうちのすくなくともいずれか一つを備えることを特徴とする請求項１１〜１５のいずれかに記載のコミュニケーション方法。
【請求項１７】
前記集合場所提案手段は、
前記集合場所を、前記コメント一覧の中に含めるか、もしくは前記ユーザ端末に表示される地図上に同時に表示するか、もしくは前記ユーザ端末に文字表示するかのいずれかの集合場所表示手段を備えることを特徴とする請求項１１〜１６のいずれかに記載のコミュニケーション方法。
【請求項１８】
前記集合場所提案手段は、
前記ユーザ端末における前記集合場所の提案手段として、ランドマークを用いたエリアや位置の指定手段、もしくは住所を用いたエリアや位置の指定手段、もしくは緯度と経度を指定した範囲の中心点による指定手段、もしくは緯度と経度を用いた位置の指定手段、のうちの少なくとも一つの前記指定手段を備えることを特徴とする請求項１１〜１７のいずれかに記載のコミュニケーション方法。
【請求項１９】
前記集合場所提案手段は、
前記イベントに参加する前記他ユーザ端末が前記集合場所へ移動可能な最短の時間を演算して求めるための最短集合時間演算手段と、
前記他ユーザ端末がそれぞれ前記集合場所へ移動するのに必要な余裕時間を演算して求めるための余裕時間演算手段と、
前記他ユーザ端末が現在位置から前記集合場所までの移動ルートを演算して求めて表示するための移動ルート演算手段と、
を備えることを特徴とする請求項１１〜１８のいずれかに記載のコミュニケーション方法。
【請求項２０】
前記他ユーザ端末抽出手段は、
前記イベントを通知した前記他ユーザ端末による前記通知の確認有無および参加可否を参加情報として記憶し管理するための参加情報管理手段と、
前記イベントへ参加する前記他ユーザ端末の数および該他ユーザ端末を介して申告された参加人数をカウントするための参加カウント手段と、
前記カウントの結果を一覧表示するための参加一覧表示手段と、
前記参加人数および参加する前記他ユーザ端末のうちのいずれかの数の変化に応じて前記集合場所提案手段に前記数の変化を通知するための変化通知手段と、
を備えることを特徴とする請求項１１〜１９のいずれかに記載のコミュニケーション方法。
【請求項２１】
前記請求項１１〜２０のいずれかに記載されたコミュニケーション方法をコンピュータ上で実行するためのコミュニケーションプログラム。
【請求項２２】
前記請求項２１に記載されたコミュニケーションプログラムを記録した記録媒体。
【発明の詳細な説明】
【技術分野】
【０００１】
本発明は、メンバの位置情報を基にしたコミュニケーションの補助を実行するコミュニケーションシステムおよびその方法、プログラムおよび記録媒体に関する。
【背景技術】
【０００２】
従来技術において、ユーザ（利用者）やメンバ（利用者と何等かの関係を有する他のユーザ）とのコミュニケーション手段として、様々なものが用いられている。それらのコミュニケーション手段のうち、代表的なものとして、ユーザ端末として携帯電話（ＰＨＳを含む）を用いたメールやチャットあるいは掲示板の利用などにより複数の利用者相互のコミュニケーション手段が実現されている。
【０００３】
また、これらのコミュニケーション手段を実際に使用する際において、ユーザやメンバが所有している各自のユーザ端末の状況に応じたコミュニケーション手段を選択する方法も多くの検討が行われている（非特許文献１参照）。
【非特許文献１】「状況情報の利用による分散型コミュニケーション支援法の提案」、情報処理学会研究報告、２００３−ＧＮ−４９、Ｏｃｔｏｂｅｒ  ２００３
【発明の開示】
【発明が解決しようとする課題】
【０００４】
しかし、従来これらの技術は、イベントなどを計画する場合、メールや電話にて友人全員に対して一人一人の予定を確認する必要があり、これに多大な時間を要してしまっていた。これらは、ユーザの予定や行動が自分ひとりの状況だけでなく、他人がいる場所や、予定場所への到着時刻など、要は他人の状況（コンテキスト）により決定されることに起因していた。
【０００５】
このため、対象となる複数のメンバ間のコミュニケーションを支援するために、メンバの現在位置情報に基づいて通知メンバを抽出し、無駄な通知を省き、参加者においてより適切な集合場所を提案することは難しかった。
【０００６】
本発明は上記課題に鑑みてなされたもので、ユーザ端末の位置情報に基づいてメンバを抽出することができ、抽出したメンバの位置情報に基づいてイベントへの参加者を管理でき、メンバ間のコミュニケーションを補助するために演算して求めた集合場所の位置情報を提供可能なコミュニケーションシステムおよびその方法、プログラムおよび記録媒体を提供することを目的とする。
【課題を解決するための手段】
【０００７】
請求項１に記載の本発明は、ネットワークを介して接続され相互に通信可能な複数のユーザ端末が集合して複数のコミュニティを形成し、これらのユーザ端末同士でコミュニケーションを行うためのコミュニケーションシステムにおいて、前記ユーザ端末および前記コミュニティを個別に識別するための識別情報を記憶し前記ユーザ端末の認証および管理を行うためのコミュニティ管理手段と、前記ユーザ端末ごとの位置情報を取得して蓄積するための位置情報取得手段と、前記ユーザ端末のうちのいずれかにおいて指定入力されたイベントに参加可能な位置にいる他のユーザ端末を抽出するための他ユーザ端末抽出手段と、前記他ユーザ端末抽出手段により抽出された他ユーザ端末に前記イベントに関する情報を通知するためのイベント通知手段と、前記他ユーザ端末抽出手段により抽出された他ユーザ端末に前記イベントについての集合場所を提案する集合場所提案手段と、前記イベントに関する情報を通知した他ユーザ端末から返信されたコメントを収集するためのコメント収集手段と、収集した前記コメントと前記イベントとを対応付けして前記他ユーザ端末に対してコメント一覧として提示可能に記憶するためのコメント一覧提示手段と、を備える。
【０００８】
また、請求項２に記載の本発明は、請求項１において、前記ユーザ端末は、自身の位置を検出して位置情報として発信するための位置情報発信手段を備える。
【０００９】
また、請求項３に記載の本発明は、請求項１または２のいずれかにおいて、前記識別情報は、前記コミュニティに属する前記ユーザ端末毎にそれぞれ付されたユーザ端末ＩＤと、前記コミュニティにそれぞれ付されたグループＩＤと、前記ユーザ端末のメールアドレスと、を含む。
【００１０】
また、請求項４に記載の本発明は、請求項１〜３のいずれかにおいて、前記イベント通知手段は、前記イベントを指定入力した前記ユーザ端末にて指定入力された他のユーザ端末に対して前記イベントに関する情報を通知する。
【００１１】
また、請求項５に記載の本発明は、請求項１〜４のいずれかにおいて、前記集合場所提案手段は、前記イベントを指定入力した前記ユーザ端末にて指定入力された他のユーザ端末に対して前記集合場所を通知する。
【００１２】
また、請求項６に記載の本発明は、請求項１〜５のいずれかにおいて、前記集合場所提案手段は、前記位置情報発信手段により検出した位置情報に基づいて、抽出した複数の前記他ユーザ端末のそれぞれの位置の分布の中心位置、および／または前記イベントに参加可能な前記他ユーザ端末のそれぞれの位置の分布の中心位置を演算して求めるための中心位置演算手段と、前記ユーザ端末に入力して任意の集合場所を指定するための集合場所指定手段と、のうちのすくなくともいずれか一つを備える。
【００１３】
また、請求項７に記載の本発明は、請求項１〜６のいずれかにおいて、前記集合場所提案手段は、前記集合場所を、前記コメント一覧の中に含めるか、もしくは前記ユーザ端末に表示される地図上に同時に表示するか、もしくは前記ユーザ端末に文字表示するかのいずれかの集合場所表示手段を備える。
【００１４】
また、請求項８に記載の本発明は、請求項１〜７のいずれかにおいて、前記集合場所提案手段は、前記ユーザ端末における前記集合場所の提案手段として、ランドマークを用いたエリアや位置の指定手段、もしくは住所を用いたエリアや位置の指定手段、もしくは緯度と経度を指定した範囲の中心点による指定手段、もしくは緯度と経度を用いた位置の指定手段、のうちの少なくとも一つの前記指定手段を備える。
【００１５】
また、請求項９に記載の本発明は、請求項１〜８のいずれかにおいて、前記集合場所提案手段は、前記イベントに参加する前記他ユーザ端末が前記集合場所へ移動可能な最短の時間を演算して求めるための最短集合時間演算手段と、前記他ユーザ端末がそれぞれ前記集合場所へ移動するのに必要な余裕時間を演算して求めるための余裕時間演算手段と、前記他ユーザ端末が現在位置から前記集合場所までの移動ルートを演算して求めて表示するための移動ルート演算手段と、を備える。
【００１６】
また、請求項１０に記載の本発明は、請求項１〜９のいずれかにおいて、前記他ユーザ端末抽出手段は、前記イベントを通知した前記他ユーザ端末による前記通知の確認有無および参加可否を参加情報として記憶し管理するための参加情報管理手段と、前記イベントへ参加する前記他ユーザ端末の数および該他ユーザ端末を介して申告された参加人数をカウントするための参加カウント手段と、前記カウントの結果を一覧表示するための参加一覧表示手段と、前記参加人数および参加する前記他ユーザ端末のうちのいずれかの数の変化に応じて前記集合場所提案手段に前記数の変化を通知するための変化通知手段と、を備える。
【００１７】
また、請求項１１に記載の本発明は、ネットワークを介して接続され相互に通信可能な複数のユーザ端末が集合して複数のコミュニティを形成し、これらのユーザ端末同士でコミュニケーションを行うためのコミュニケーション方法において、コミュニティ管理手段により、前記ユーザ端末および前記コミュニティを個別に識別するための識別情報を記憶し前記ユーザ端末の認証および管理を行うステップと、位置情報取得手段により、前記ユーザ端末ごとの位置情報を取得して蓄積するステップと、他ユーザ端末抽出手段により、前記ユーザ端末のうちのいずれかにおいて指定入力されたイベントに参加可能な位置にいる他のユーザ端末を抽出するステップと、イベント通知手段により、前記他ユーザ端末抽出手段により抽出された他ユーザ端末に前記イベントに関する情報を通知するステップと、集合場所提案手段により、前記他ユーザ端末抽出手段により抽出された他ユーザ端末に前記イベントについての集合場所を提案するステップと、コメント収集手段により、前記イベントに関する情報を通知した他ユーザ端末から返信されたコメントを収集するステップと、コメント一覧提示手段により、収集した前記コメントと前記イベントとを対応付けして前記他ユーザ端末に対してコメント一覧として提示可能に記憶するステップと、を有する。
【００１８】
また、請求項１２に記載の本発明は、請求項１１において、前記ユーザ端末は、自身の位置を検出して位置情報として発信するための位置情報発信手段を備える。
【００１９】
また、請求項１３に記載の本発明は、請求項１１または１２のいずれかにおいて、前記識別情報は、前記コミュニティに属する前記ユーザ端末毎にそれぞれ付されたユーザ端末ＩＤと、前記コミュニティにそれぞれ付されたグループＩＤと、前記ユーザ端末のメールアドレスと、を含む。
【００２０】
また、請求項１４に記載の本発明は、請求項１１〜１３のいずれかにおいて、前記イベント通知手段は、前記イベントを指定入力した前記ユーザ端末にて指定入力された他のユーザ端末に対して前記イベントに関する情報を通知する。
【００２１】
また、請求項１５に記載の本発明は、請求項１１〜１４のいずれかにおいて、前記集合場所提案手段は、前記イベントを指定入力した前記ユーザ端末にて指定入力された他のユーザ端末に対して前記集合場所を通知する。
【００２２】
また、請求項１６に記載の本発明は、請求項１１〜１５のいずれかにおいて、前記集合場所提案手段は、前記位置情報発信手段により検出した位置情報に基づいて、抽出した複数の前記他ユーザ端末のそれぞれの位置の分布の中心位置、および／または前記イベントに参加可能な前記他ユーザ端末のそれぞれの位置の分布の中心位置を演算して求めるための中心位置演算手段と、前記ユーザ端末に入力して任意の集合場所を指定するための集合場所指定手段と、のうちのすくなくともいずれか一つを備える。
【００２３】
また、請求項１７に記載の本発明は、請求項１１〜１６のいずれかにおいて、前記集合場所提案手段は、前記集合場所を、前記コメント一覧の中に含めるか、もしくは前記ユーザ端末に表示される地図上に同時に表示するか、もしくは前記ユーザ端末に文字表示するかのいずれかの集合場所表示手段を備える。
【００２４】
また、請求項１８に記載の本発明は、請求項１１〜１７のいずれかにおいて、前記集合場所提案手段は、前記ユーザ端末における前記集合場所の提案手段として、ランドマークを用いたエリアや位置の指定手段、もしくは住所を用いたエリアや位置の指定手段、もしくは緯度と経度を指定した範囲の中心点による指定手段、もしくは緯度と経度を用いた位置の指定手段、のうちの少なくとも一つの前記指定手段を備える。
【００２５】
また、請求項１９に記載の本発明は、請求項１１〜１８のいずれかにおいて、前記集合場所提案手段は、前記イベントに参加する前記他ユーザ端末が前記集合場所へ移動可能な最短の時間を演算して求めるための最短集合時間演算手段と、前記他ユーザ端末がそれぞれ前記集合場所へ移動するのに必要な余裕時間を演算して求めるための余裕時間演算手段と、前記他ユーザ端末が現在位置から前記集合場所までの移動ルートを演算して求めて表示するための移動ルート演算手段と、を備える。
【００２６】
また、請求項２０に記載の本発明は、請求項１１〜１９のいずれかにおいて、前記他ユーザ端末抽出手段は、前記イベントを通知した前記他ユーザ端末による前記通知の確認有無および参加可否を参加情報として記憶し管理するための参加情報管理手段と、前記イベントへ参加する前記他ユーザ端末の数および該他ユーザ端末を介して申告された参加人数をカウントするための参加カウント手段と、前記カウントの結果を一覧表示するための参加一覧表示手段と、前記参加人数および参加する前記他ユーザ端末のうちのいずれかの数の変化に応じて前記集合場所提案手段に前記数の変化を通知するための変化通知手段と、を備える。
【００２７】
また、請求項２１に記載の本発明は、前記請求項１１〜２０のいずれかに記載されたコミュニケーション方法をコンピュータ上で実行するためのコミュニケーションプログラムである。
【００２８】
また、請求項２２に記載の本発明は、前記請求項２１に記載されたコミュニケーションプログラムを記録した記録媒体である。
【発明の効果】
【００２９】
本発明によれば、ユーザ端末の位置情報に基づいてメンバを抽出することができ、抽出したメンバの位置情報に基づいてイベントへの参加者を管理でき、メンバ間のコミュニケーションを補助するために演算して求めた集合場所の位置情報を提供可能なコミュニケーションシステムおよびその方法、プログラムおよび記録媒体を提供することができる。
【発明を実施するための最良の形態】
【００３０】
本発明のコミュニケーションシステムおよび方法、プログラムおよび記録媒体の実施の形態を説明するために、以下に図１〜図１４を参照して説明する。なお、説明の構成として、図１に全体構成を示し、図２〜図６を参照して各構成部分の詳細を個別に説明する。図７、図８、図１４はそれぞれ本発明のコミュニケーションシステムの内部処理を説明するための情報処理フロー図であり、図９〜図１３は本発明の実施の形態を説明するための具体例をそれぞれ示している。
【００３１】
まず、図１には、本発明のコミュニケーションシステムの実施の形態に係る、全体の構成を説明するための説明図を示す。
【００３２】
この図１において示されるのは、本発明のコミュニケーションシステムを利用する図示しないユーザ（利用者）がそれぞれ所有するユーザ端末１と、ユーザ端末１の位置情報などのユーザ端末１に関するコンテキストを取得し管理するためのコンテキスト管理サーバ２と、このコンテキストに基づきユーザ端末１以外の他のユーザ端末（以下、メンバと記す）のユーザＩＤを抽出するコミュニケーションサーバ３である。
【００３３】
さらに、電波を利用して構築されている移動通信網４と、種々の情報ネットワークを含むインターネット５と、図示しないユーザが自身の位置情報を通知するための位置発信デバイス６が示されている。
【００３４】
なお、この位置発信デバイス６は、ＲＦＩＤ（Ｒａｄｉｏ  Ｆｒｅｑｕｅｎｃｙ  ＩＤｅｎｔｉｆｉｃａｔｉｏｎ）や無線タグ、外部との情報通信が可能な手段を備えたＩＣカード、もしくはＰＨＳなどにより構成されている。このため、位置発信デバイス６は、自身の物理的な位置情報を発信し伝達するために移動通信網４を経由するか、あるいは直接接続してインターネット５を介して自己の位置情報を発信することが可能である。
【００３５】
また、ユーザ端末１は、例えばユーザが所持している携帯電話やＰＨＳなどの携帯電話端末７や、あるいはパーソナルデジタルアシスタンス（ＰＤＡ）８などの外部通信可能な情報端末や、あるいはインターネット５や移動通信網４に接続されたパーソナルコンピュータ９などが含まれる。
【００３６】
また、ユーザが携帯するユーザ端末１や位置情報発信ディバイス６にＰＨＳを適用する場合には、ＰＨＳの基地局情報を位置情報として取得している。さらに、位置情報発信ディバイス６にＲＦＩＤタグリーダ機能を備えて構成し、店舗や街頭、駅などの交通機関の要所などの各地に設置されたタグ情報を読み取り、この読み取ったタグ情報を位置情報として利用している。
【００３７】
また、タグではなく位置情報発信ディバイス６の方が各地に設置された場合は、ユーザに付与されたタグ情報を読み取った発信ディバイス６が、自身の設置位置を位置情報として移動通信網４やインターネット５などに発信してもよい。この場合、位置発信デバイス６は、ＲＦＩＤタグリーダなどを介してインターネット５に直接接続されており、ＰＨＳ無線基地局を介して移動通信網４に接続されていてもよい。
【００３８】
次に、図２に示すのは、本発明のコミュニケーションシステムの実施の形態に係る、コンテキスト管理サーバ２において管理されるグループごとに属するユーザ端末の構成を示した図である。
【００３９】
この図２におけるグループ構成データ２６は、前提として図示しないユーザが任意の人的な集団であるグループ（コミュニティ）を形成しており、このグループのそれぞれを識別するためのグループＩＤがそれぞれ付与されている。例えばグループ構成データ２６には「ａ０００１」、「ａ０００２」といったグループ名が付与されている。
【００４０】
こうしたグループ毎に、それぞれのグループに属するユーザを識別するためのユーザＩＤがユーザ端末１にそれぞれ付与されている。付与されているユーザＩＤは、例えばグループ構成データ２６の「ユーザＩＤ」欄に示されるように、グループ「ａ０００１」に対して「１００２」、「１００５」、「１０３２」、「１０５６」、「１０８６」の５種類であって、これらのユーザＩＤが５台（５人）のユーザ端末（ユーザ：利用者）１にそれぞれ付与されている。同様に、「グループＩＤ」が「ａ０００２」のグループでは、「ユーザＩＤ」が「１２３９」、「１４０３」、「１８４９」、「１０４８」をそれぞれ付与された４台（４人）のユーザ端末（ユーザ：利用者）１が属している。
【００４１】
次に、図３に示すのは、本発明のコミュニケーションシステムの実施の形態に係る、コンテキスト管理サーバ２の内部構成をさらに詳細に説明するための説明図である。
【００４２】
既に図１に示したコンテキスト管理サーバ２は、ユーザ端末１の認証やグループに属するメンバなどの管理をするコミュニティ管理部（コミュニティ管理手段）１０と、メンバの位置情報を取得する位置情報取得部（位置情報取得手段）１１と、から構成されている。
【００４３】
コミュニティ管理部１０は、既に図２に示したグループ構成データ２６を記憶しており、このグループ構成データ２６を前記グループ（コミュニティ）を個別に識別するための識別情報として用いて、ユーザ端末１のユーザＩＤに対して個別に認証を行う。
【００４４】
位置情報取得部１１は、ユーザ情報端末１のそれぞれの位置情報を取得して蓄積し記憶している。ユーザ端末１の位置情報は、図１にて説明したように、ユーザ端末１は、例えばユーザが所持している携帯電話やＰＨＳなどの携帯電話端末７や、あるいはパーソナルデジタルアシスタンス（ＰＤＡ）８などの外部通信可能な情報端末や、あるいはインターネット５や移動通信網４に接続されたパーソナルコンピュータ９などの違いによって、その取得方法が異なっている。
【００４５】
例えば、ユーザが携帯するユーザ端末１や位置情報発信ディバイス６にＰＨＳを適用する場合には、ＰＨＳの基地局情報を位置情報として取得している。さらに、位置情報発信ディバイス６にＲＦＩＤタグリーダ機能を備えて構成し、店舗や街頭、駅などの交通機関の要所などの各地に設置されたタグ情報を読み取り、この読み取ったタグ情報を位置情報として利用している。
【００４６】
また、タグではなく位置情報発信ディバイス６の方が各地に設置された場合は、ユーザに付与されたタグ情報を読み取った発信ディバイス６が、自身の設置位置を位置情報として移動通信網４やインターネット５などに発信してもよい。この場合、位置発信デバイス６は、ＲＦＩＤタグリーダなどを介してインターネット５に直接接続されており、ＰＨＳ無線基地局を介して移動通信網４に接続されていてもよい。
【００４７】
次に、図４には、本発明のコミュニケーションシステムの実施の形態に係る、コミュニケーションサーバ３の内部構成を詳細に説明するための説明図を示している。
【００４８】
コミュニケーションサーバ３は、コンテキスト管理サーバ２が備える位置情報取得部１１が取得した位置情報に基づいて、ユーザ端末１にユーザが指定入力した時間に開催されるイベントに参加可能な位置にいるメンバを抽出するためのメンバ抽出部１５を備える。
【００４９】
ここでメンバ抽出部１５において実行されるメンバの抽出は、イベントの開催される位置と時間を基準にして、このイベント開催の時間と場所に集合し参加可能な位置に居るメンバを検索して実行される。検索対象となるメンバは、それぞれの位置情報が位置情報取得部１１により取得されて蓄積されている。この位置情報取得部１１からメンバのそれぞれの位置情報を取得して、イベントの開催場所と時間とに基づいて、このイベントに参加可能な物理的あるいは時間的な位置に居るメンバを演算して抽出する。
【００５０】
また、抽出したメンバか、もしくはユーザ端末１に指定入力された特定のメンバに対してイベントに関する情報を通知するためのイベント通知部１６を備える。さらに、抽出したメンバか、もしくはユーザ端末１に指定入力された特定のメンバに対して、集合場所をメンバの各ユーザ端末に配信して表示させて提案する集合場所提案部１７を備える。
【００５１】
さらに、イベントに関する情報を通知したメンバからのコメントを収集するコメント収集部１８と、収集したコメントをイベントごとに一覧できるようにとりまとめ、メンバが任意に参照可能に提供するためのコメント一覧提示部１９と、ユーザ端末１やメンバの所有する他のユーザ端末と通信するためのユーザ端末通信部２０と、からなる。
【００５２】
次に、図５には、本発明のコミュニケーションシステムの実施の形態に係る、集合場所提案部１７の内部構成をさらに詳細に説明するための説明図を示す。
【００５３】
集合場所提案部１７は、ユーザ端末１やメンバの所有する他のユーザ端末のそれぞれの位置情報に基づきイベントの集合場所までの時間を演算するための時間算出部２１と、各ユーザ端末の位置情報に基づきイベントの集合場所までの移動ルートを演算するための移動ルート算出部２２と、からなる。
【００５４】
集合場所提案部１７により演算されるのは、ユーザ端末１を含む多数の各ユーザ端末のそれぞれの位置情報に基づいて、これらのすべてのユーザ端末にとって均等となる物理的な距離を求め、これを集合場所の中心点とした位置情報である。この演算において、すべてのユーザ端末に均等な距離に限定することなく、例えば、均等な移動にかかる所要時間や移動費用、使用可能な移動手段の違いなどで中心点である集合場所の位置情報を求めてもよい。
【００５５】
なお、こうして求めた集合場所が集合場所として不適当な場所である場合（例えば、海上、湖沼、山間部、鉄道軌道や空港滑走路などの侵入不許可領域、特定施設など）は、これらの場所を除外した集合場所が演算され、集合場所の中心点として提供される。
【００５６】
また、移動ルート算出部２２は、集合場所提案部１７で実行される集合場所の中心点を求める演算に連動して、各ユーザ端末のそれぞれについてイベントが開催される場所までの移動ルートを演算して求める。
【００５７】
この移動ルートの演算のために、移動ルート算出部２２には、図示しない移動手段の種類や所要時間、地図情報、各移動手段に要する費用などのデータベースを備えている。また、こうしたデータベースを備えることなく、インターネット５を介してこれらの移動ルートの演算に必要なパラメータや情報を、演算の都度に検索して取得してもよい。
【００５８】
次に、図６には、本発明のコミュニケーションシステムの実施の形態に係る、メンバ抽出部１５の内部構成をさらに詳細に説明するための説明図を示す。
【００５９】
メンバ抽出部１５は、イベントを通知したメンバが表明したイベントの情報を確認したか否かの情報、およびイベントにメンバが参加可能か否かの情報を蓄積して記憶し、各ユーザ端末にその状況を表示可能に管理するためのイベント状態管理部２３を備える。
【００６０】
また、イベントへの参加者数をカウントして参加者数および参加メンバ一覧を各ユーザ端末に表示するための参加者管理部２４と、イベントへの参加者数および参加するメンバが変化したら集合場所提案部（集合場所提案手段）１７に通知するメンバ通知部２５と、からなる。
【００６１】
次に、図７には、本発明のコミュニケーションシステムの実施の形態に係る、コンテキスト管理サーバ２における情報処理手順を説明するためのフロー図を示す。
【００６２】
まず、ステップ１：Ｓ１において、コミュニティ管理部１０が、ユーザ端末１の認証を行い、このユーザ端末１のユーザＩＤに基づき、ユーザ端末１の所属するグループＩＤおよび、このグループメンバの各ユーザ端末に付与されたユーザＩＤをグループ構成データ２６から取得する。
【００６３】
次に、ステップ２：Ｓ２において、グループメンバの各ユーザ端末のユーザＩＤに基づき、位置情報取得部１１が各ユーザ端末の位置情報を取得する。例えば、ユーザ端末が位置発信デバイス６としてＰＨＳを利用した場合は、位置情報取得部１１からコミュニティ管理部１０がユーザ端末のＰＨＳの電話番号を取得し、ＰＨＳの基地局情報をユーザ端末の位置情報として保存する。
【００６４】
次に、図８には、本発明のコミュニケーションシステムの実施の形態に係る、コミュニケーションサーバ３における情報処理手順を説明するためのフロー図を示している。
【００６５】
まず、ステップ１０：Ｓ１０において、ユーザ端末通信部２０がコミュニティ管理部１０から各ユーザ端末のユーザＩＤに基づくグループメンバを取得し、ユーザ端末１に送信する。
【００６６】
次に、ステップ１１：Ｓ１１において、ユーザ端末１から入力されたイベント名、開始時刻、通知メンバをユーザ端末通信部２０が取得し、集合場所提案部１７に受け渡す。
【００６７】
次に、ステップ１２：Ｓ１２において、集合場所提案部１７は位置情報取得部１１から通知の対象となるユーザ端末の位置情報を取得し、開始時刻までに集合可能な集合場所（中心位置）を複数演算する。
【００６８】
次に、ステップ１３：Ｓ１３において、集合場所提案部１７は各ユーザ端末の現在地と集合場所に基づき、移動ルート算出部２２は対象ユーザ端末の移動ルートを演算し、時間算出部２１が各ユーザ端末の集合場所までの時間を演算する。
【００６９】
次に、ステップ１４：Ｓ１４において、メンバ抽出部１５はメンバ通信部２５を通じて、集合場所提案部１７が演算したユーザ端末の集合場所までの時間を取得し、イベント状態管理部２３において、それぞれのメンバの情報確認可否やイベント参加可否状態を管理する。ここで、ユーザ端末の現在位置から集合場所まで指定された時間内に参加できないユーザ端末のイベント参加可否状態は否となる。
【００７０】
次に、ステップ１５：Ｓ１５において、メンバ抽出部１５はイベント状態管理部２３において管理されているイベント参加可否状態の否ではないユーザ端末を抽出し、メンバ通信部２５を通じて、イベント通知部１６に通知する。参加者管理部２４では、参加者数の管理と参加者一覧を作成し、ユーザ端末通信部２０を通じて、表示する。
【００７１】
次に、ステップ１６：Ｓ１６において、イベント通知部１６は、参加可能なユーザ端末のメールアドレスをコミュニティ管理部１０から取得し、イベント名、集合場所、集合時刻、チャット掲示板ＵＲＬの記載されたメールを対象ユーザ端末に送信する。
【００７２】
次に、ステップ１７：Ｓ１７において、ユーザ端末がチャット掲示板ＵＲＬにアクセスし、コメントを記載すると、コメント収集部１８がグループＩＤに基づき、取りまとめを行う。ユーザ端末１からチャット掲示板ＵＲＬにある参加、不参加、ウォッチング中のボタンが押下されると、メンバ抽出部１５のイベント状態管理部２３に通知される。
【００７３】
次に、ステップ１８：Ｓ１８において、コメント一覧提示部１９はコメント収集部１８が取りまとめたコメントをリアルタイムでチャット掲示板ＵＲＬに一覧表示する。
【００７４】
次に、図９には、本発明のコミュニケーションシステムの実施の形態に係る、ユーザ端末１へのイベント登録画面の表示例を示している。ユーザ端末１の表示画面３０を介して、ユーザはイベントの開始時刻やイベント名、このイベントを通知する対象となるメンバを選択して、通知のボタンを押下する。
【００７５】
次に、図１０には、本発明のコミュニケーションシステムの実施の形態に係る、メンバへのイベント参加のためのチャット掲示板の表示画面３０である。閲覧しているユーザ端末１のイベントへの参加可否状態３１と、イベントへ参加を表明した参加者数３２と、システムからの集合場所と集合時間の提案３３と、メンバのコメント一覧３４と、閲覧しているユーザ端末のイベントへの参加可否状態である自分の状態変更３５と、を同時に示している。
【００７６】
次に、図１１には、本発明のコミュニケーションシステムの実施の形態に係る、コンテキスト管理サーバ２が管理している位置情報の構成例を示している。位置情報取得部１１は、各ユーザ端末の所属するグループメンバの各ユーザ端末に付与されたユーザＩＤごとに位置情報（緯度、経度など）を取得し、位置情報データ３６として記憶し蓄積する。
【００７７】
なお、この位置情報データ３６には、ユーザ端末を識別するためのユーザＩＤと、位置情報を取得した時刻と、緯度と経度でそれぞれ示された位置情報と、交通機関などの最寄駅とが示されている。
【００７８】
次に、図１２には、本発明のコミュニケーションシステムの実施の形態に係る、移動ルート算出部２２が演算に利用する駅位置情報の構成例を示している。この移動ルート算出部２２は、ユーザ端末１やメンバの所有する他のユーザ端末のそれぞれの位置情報と、さらに集合場所とに基づいて、各ユーザ端末が移動するのに必要な交通機関の最寄り駅を演算して求める。この演算結果は、例えば移動ルート演算結果３７に示されるように、交通機関の駅名と、緯度および経度で表現される位置情報との対応付けで構成されている。
【００７９】
次に、図１３には、本発明のコミュニケーションシステムの実施の形態に係る、集合場所提案部１７が利用する最寄り駅乗り換えルート情報３８の構成例を示している。時間算出部２１と、および移動ルート算出部２２とは、最寄り駅乗り換えルート情報３８を利用して、イベントの集合場所までの時間および移動ルートを演算して求める。なお、この最寄り駅乗り換えルート情報３８には、公共交通機関の駅名が縦軸と横軸にそれぞれ示されており、それぞれ示された駅名間の乗り換えルートと所要時間が更に示されている。
【００８０】
次に、図１４には、本発明のコミュニケーションシステムの実施の形態に係る、移動ルート算出部２２における移動ルート演算処理手順を説明するためのフロー図を示す。
【００８１】
まず、ステップ２０：Ｓ２０において、ユーザ端末にそれぞれ付与されたユーザＩＤに基づき、各ユーザ端末のそれぞれの位置情報をコンテキスト管理サーバ２から取得する。
【００８２】
次に、ステップ２１：Ｓ２１において、各ユーザ端末のそれぞれの位置情報に基づき、駅位置情報から最も距離の近い最寄り駅を抽出し、蓄積する。
【００８３】
次に、ステップ２２：Ｓ２２において、イベントの集合場所の位置情報に基づき、駅位置情報から最寄り駅を抽出する。
【００８４】
次に、ステップ２３：Ｓ２３において、各ユーザ端末にとってのそれぞれの最寄り駅および集合場所の最寄り駅に基づき、最寄り駅乗り換えルートから移動ルートを抽出する。
【００８５】
次に、ステップ２４：Ｓ２４において、複数の集合場所がある場合はステップ２２：Ｓ２２に戻り、同様の処理を繰り返す。
【００８６】
以上説明した本発明の実施の形態においては、ネットワークを介して接続され相互に通信可能な複数のユーザ端末が集合して複数のコミュニティを形成し、これらのユーザ端末同士でコミュニケーションを行うためのコミュニケーションシステムにおいて、ユーザ端末およびコミュニティを個別に識別するための識別情報を記憶しユーザ端末の認証および管理を行うためのコミュニティ管理手段と、ユーザ端末ごとの位置情報を取得して蓄積するための位置情報取得手段と、ユーザ端末のうちのいずれかにおいて指定入力されたイベントに参加可能な位置にいる他のユーザ端末を抽出するための他ユーザ端末抽出手段と、他ユーザ端末抽出手段により抽出された他ユーザ端末にイベントに関する情報を通知するためのイベント通知手段と、他ユーザ端末抽出手段により抽出された他ユーザ端末にイベントについての集合場所を提案する集合場所提案手段と、イベントに関する情報を通知した他ユーザ端末から返信されたコメントを収集するためのコメント収集手段と、収集したコメントとイベントとを対応付けして他ユーザ端末に対してコメント一覧として提示可能に記憶するためのコメント一覧提示手段と、を備えている。
【００８７】
また、ユーザ端末は、自身の位置を検出して位置情報として発信するための位置情報発信手段を備えている。
【００８８】
また、識別情報は、コミュニティに属するユーザ端末毎にそれぞれ付されたユーザ端末ＩＤと、コミュニティにそれぞれ付されたグループＩＤと、ユーザ端末のメールアドレスと、を含んでいる。
【００８９】
また、イベント通知手段は、イベントを指定入力したユーザ端末にて指定入力された他のユーザ端末に対してイベントに関する情報を通知する。
【００９０】
また、集合場所提案手段は、イベントを指定入力したユーザ端末にて指定入力された他のユーザ端末に対して集合場所を通知する。
【００９１】
また、集合場所提案手段は、位置情報発信手段により検出した位置情報に基づいて、抽出した複数の他ユーザ端末のそれぞれの位置の分布の中心位置、および／またはイベントに参加可能な他ユーザ端末のそれぞれの位置の分布の中心位置を演算して求めるための中心位置演算手段と、ユーザ端末に入力して任意の集合場所を指定するための集合場所指定手段と、のうちのすくなくともいずれか一つを備えている。
【００９２】
また、集合場所提案手段は、集合場所を、コメント一覧の中に含めるか、もしくはユーザ端末に表示される地図上に同時に表示するか、もしくはユーザ端末に文字表示するかのいずれかの集合場所表示手段を備えている。
【００９３】
また、集合場所提案手段は、ユーザ端末における集合場所の提案手段として、ランドマークを用いたエリアや位置の指定手段、もしくは住所を用いたエリアや位置の指定手段、もしくは緯度と経度を指定した範囲の中心点による指定手段、もしくは緯度と経度を用いた位置の指定手段、のうちの少なくとも一つの指定手段を備えている。
【００９４】
また、集合場所提案手段は、イベントに参加する他ユーザ端末が集合場所へ移動可能な最短の時間を演算して求めるための最短集合時間演算手段と、他ユーザ端末がそれぞれ集合場所へ移動するのに必要な余裕時間を演算して求めるための余裕時間演算手段と、他ユーザ端末が現在位置から集合場所までの移動ルートを演算して求めて表示するための移動ルート演算手段と、を備えている。
【００９５】
また、他ユーザ端末抽出手段は、イベントを通知した他ユーザ端末による通知の確認有無および参加可否を参加情報として記憶し管理するための参加情報管理手段と、イベントへ参加する他ユーザ端末の数および該他ユーザ端末を介して申告された参加人数をカウントするための参加カウント手段と、カウントの結果を一覧表示するための参加一覧表示手段と、参加人数および参加する他ユーザ端末のうちのいずれかの数の変化に応じて集合場所提案手段に数の変化を通知するための変化通知手段と、を備えている。
【００９６】
なお、上記本発明の実施の形態におけるコミュニケーションシステムでは、このコミュニケーションシステムにて実行される情報処理及び構成要素の動作をコンピュータプログラムに置き換えて構築し、例えばＣＤやＤＶＤ、ＦＤなどの記録媒体に記録してもよい。これらの記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、コミュニケーションシステム、およびコミュニケーション方法の実現手段として機能させることができるのは勿論であり、このような記録媒体を用いることにより、その流通性を高めることができるものである。
【００９７】
このように、本発明のコミュニケーションシステムの実施の形態によれば、ユーザ端末の位置情報に基づき、メンバを抽出する新たなコミュニケーションを実現するシステムおよびそのプログラムに関し、より詳細には、メンバの位置情報を基に、イベントへの参加者をシステムで管理し、集合場所を演算し、メンバ間のコミュニケーションを補助するために利用できる。
【００９８】
また、複数のメンバ間のコミュニケーションを支援するためにメンバの現在位置情報をもとに通知メンバを抽出し、無駄な通知を省き、参加者においてより適切な集合場所を提案することができ、複数のメンバ間のコミュニケーションを支援することができる。
【図面の簡単な説明】
【００９９】
【図１】本発明のコミュニケーションシステムの実施の形態に係る、全体構成を説明するための説明図を示す。
【図２】本発明のコミュニケーションシステムの実施の形態に係る、コンテキスト管理サーバにおいて管理されているグループごとのユーザ端末構成例である。
【図３】本発明のコミュニケーションシステムの実施の形態に係る、コンテキスト管理サーバの内部構成例である。
【図４】本発明のコミュニケーションシステムの実施の形態に係る、コミュニケーションサーバの内部構成例である。
【図５】本発明のコミュニケーションシステムの実施の形態に係る、集合場所提案部の内部構成例である。
【図６】本発明のコミュニケーションシステムの実施の形態に係る、メンバ抽出部の内部構成例である。
【図７】本発明のコミュニケーションシステムの実施の形態に係る、コンテキスト管理サーバにおける情報処理手順を説明するためのフロー図である。
【図８】本発明のコミュニケーションシステムの実施の形態に係る、コミュニケーションサーバ処理における情報手順を説明するためのフロー図である。
【図９】本発明のコミュニケーションシステムの実施の形態に係る、ユーザ端末へのイベント登録画面の表示例である。
【図１０】本発明のコミュニケーションシステムの実施の形態に係る、本発明によるメンバへのイベント参加のためのチャット掲示板の表示画面である。
【図１１】本発明のコミュニケーションシステムの実施の形態に係る、コンテキスト管理サーバが管理している位置情報の構成例を示している。
【図１２】本発明のコミュニケーションシステムの実施の形態に係る、移動ルート算出部が演算に利用する駅位置情報の構成例を示している。
【図１３】本発明のコミュニケーションシステムの実施の形態に係る、集合場所提案部が利用する最寄り駅乗り換えルート情報の構成例を示している。
【図１４】本発明のコミュニケーションシステムの実施の形態に係る、移動ルート算出部における移動ルート演算処理手順を説明するためのフロー図を示す。
【符号の説明】
【０１００】
１  ユーザ端末
２  コンテキスト管理サーバ
３  コミュニケーションサーバ
４  移動体通信網
５  インターネット
６  位置発信デバイス
７  携帯電話端末
８  パーソナルデジタルアシステンス
９  パーソナルコンピュータ
１０  コミュニティ管理部
１１  位置情報取得部
１５  メンバ抽出部
１６  イベント通知部
１７  集合場所提案部
１８  コメント収集部
１９  コメント一覧提示部
２０  ユーザ端末通信部
２１  時間算出部
２２  移動ルート算出部
２３  イベント状態管理部
２４  参加者管理部
２５  メンバ通信部
【図１】
2006072812.tif 000003
【図２】
2006072812.tif 000004
【図３】
2006072812.tif 000005
【図４】
2006072812.tif 000006
【図５】
2006072812.tif 000007
【図６】
2006072812.tif 000008
【図７】
2006072812.tif 000009
【図８】
2006072812.tif 000010
【図９】
2006072812.tif 000011
【図１０】
2006072812.tif 000012
【図１１】
2006072812.tif 000013
【図１２】
2006072812.tif 000014
【図１３】
2006072812.tif 000015
【図１４】
2006072812.tif 000016